(57)【要約】【課題】特に端子金具の板厚を増大しなくても、タブ部が変形するのを抑えることが可能な雄端子金具を提供する。【解決手段】雄端子金具は、筒状の本体部１０と、本体部１０から前方へ突出する板状のタブ部４０とを備える。本体部１０のうち、タブ部４０に連なる前端部には、タブ部４０に対しそのタブ部４０の突出方向と交差する方向に過大な外力Ｐ１、Ｐ２が作用した場合に曲げの起点となる第１支点５１と第２支点５２とが、外力Ｐ１、Ｐ２の作用方向と対向する面側とその反対側の面側とにそれぞれ設けられている。第１支点５１と第２支点５２とは互いに前後方向に位置ずれしている。【選択図】図１
2015185448.tif 000002
【特許請求の範囲】
【請求項１】
導電性の金属板を曲げ加工して成形される雄端子金具であって、
筒状の本体部と、
前記本体部から前方へ突出して、相手側の雌端子金具と電気的に接触する板状のタブ部とを備え、
前記本体部のうち、前記タブ部に連なる前端部には、前記タブ部に対しそのタブ部の突出方向と交差する方向に過大な外力が作用した場合に曲げの起点となる第１支点と第２支点とが、前記外力の作用方向と対向する面側とその反対側の面側とにそれぞれ設けられ、前記第１支点と前記第２支点とが互いに前後方向に位置ずれしていることを特徴とする雄端子金具。
【請求項２】
前記本体部のうち、前記第１支点が配置される面側には、前記タブ部にかけて前後方向に段差無く連続するストレート壁と、前記ストレート壁に覆い被さるように配置される覆い壁とが設けられ、前記第１支点は、前記覆い壁の前端が前記ストレート壁と当接する位置に設けられていることを特徴とする請求項１記載の雄端子金具。
【請求項３】
前記タブ部は、前記本体部の軸中心に対し前記第１支点が配置される面側に偏心して配置され、前記第２支点は、前記第１支点よりも前方において前記タブ部に屈曲して連なる位置に設けられていることを特徴とする請求項２記載の雄端子金具。
【発明の詳細な説明】
【技術分野】
【０００１】
本発明は、雄端子金具に関する。
【背景技術】
【０００２】
特許文献１に開示の雄端子金具は、筒状の本体部と、本体部の前方に細長く突出する板状のタブ部とを備えている。タブ部は、相手側の雌型端子と接触して導通接続されるものであって、その根元が本体部の前端に連結されている。かかる構成において、仮に、タブ部に板厚方向に沿った過大な外力（荷重）が作用すると、タブ部が本体部との連結位置（本体部の前端）を起点として屈曲すると考えられる。
【先行技術文献】
【特許文献】
【０００３】
【特許文献１】特開平９−３５８０１号公報
【発明の概要】
【発明が解決しようとする課題】
【０００４】
ところで、上述のようにタブ部に板厚方向に沿った外力が作用したときに、タブ部がせん断又は屈曲しないように、タブ部と本体部との連結位置における断面積を大きくとることが求められる。しかし、例えば、板厚を増大させることで断面積を大きくとるのでは、コストが高くつくとともに、高重量化を招いて好ましくないという問題がある。
【０００５】
本発明は上記のような事情に基づいて完成されたものであって、特に板厚を増大しなくても、タブ部が変形するのを抑えることが可能な雄端子金具を提供することを目的とする。
【課題を解決するための手段】
【０００６】
本発明は、導電性の金属板を曲げ加工して成形される雄端子金具であって、筒状の本体部と、前記本体部から前方へ突出して、相手側の雌端子金具と電気的に接触する板状のタブ部とを備え、前記本体部のうち、前記タブ部に連なる前端部には、前記タブ部に対しそのタブ部の突出方向と交差する方向に過大な外力が作用した場合に曲げの起点となる第１支点と第２支点とが、前記外力の作用方向と対向する面側とその反対側の面側とにそれぞれ設けられ、前記第１支点と前記第２支点とが互いに前後方向に位置ずれしているところに特徴を有する。
【発明の効果】
【０００７】
タブ部の曲げの起点となる第１支点と第２支点とが前後方向に位置ずれしているため、第１支点と第２支点とが前後方向の同一位置にある場合に比べ、第１支点と第２支点とを結ぶ切断線（せん断線）を含んだ断面積（せん断面積）を大きくとることができ、タブ部がせん断又は屈曲しにくい構造となる。したがって、特に板厚を増大しなくても、タブ部が変形するのを抑えることができる。
【図面の簡単な説明】
【０００８】
【図１】本発明の実施例の雄端子金具の正面から見た左側面図である。
【図２】雄端子金具の平面図である。
【図３】雄端子金具の正面から見た右側面図である。
【図４】雄端子金具の正面図である。
【図５】雄端子金具の断面図である。
【図６】雄端子金具の展開図である。
【発明を実施するための形態】
【０００９】
本発明の好ましい形態を以下に示す。
前記本体部のうち、前記第１支点が配置される面側には、前記タブ部にかけて前後方向に段差無く連続するストレート壁と、前記ストレート壁に覆い被さるように配置される覆い壁とが設けられ、前記第１支点は、前記覆い壁の前端が前記ストレート壁と当接する位置に設けられている。このような構成であれば、タブ部に対し第１支点を曲げの内側とするような外力が作用した場合に、ストレート壁に応力が分散されてタブ部がせん断又は屈曲しにくくなる。また、第１支点を設置する際に、覆い壁の前端位置を調整するだけでよいため、タブ部の根元に第１支点が設けられる場合に比べ、設計の自由度が高い。
【００１０】
前記タブ部は、前記本体部の軸中心に対し前記第１支点が配置される面側に偏心した軸線上に配置され、前記第２支点は、前記第１支点よりも前方において前記タブ部に屈曲して連なる位置に設けられている。このような構成であれば、第２支点を曲げの内側とするような外力に対してもタブ部がせん断又は屈曲しにくい構造となる。
【００１１】
＜実施例＞
実施例の雄端子金具を図面に基づいて説明する。雄端子金具は、導電性の金属板を、図６に示す形状に打ち抜いた後、図１〜図４に示す形態に折り曲げることによって形成される。なお、以下の説明において、前後方向については、図１及び図２の右側を前方とし、上下方向については、図１、図３〜図５の各図を基準とする。
【００１２】
この雄端子金具は、略角筒状の本体部１０と、本体部１０の前方に突出する二枚重ね板状のタブ部４０と、本体部１０の後方に位置するオープンバレル状のバレル部７０と、バレル部７０と本体部１０との間に位置してこれらを連結する断面略Ｕ字形の連結部６０とを備えている。そして、雄端子金具には、タブ部４０からバレル部７０に亘る全域に、帯板状の基壁１１が設けられている。
【００１３】
バレル部７０は、図示しない電線の端末部に接続されるものであって、ワイヤバレル７１と、ワイヤバレル７１の後方に位置するインシュレーションバレル７２とを有している。図２、図４及び図５に示すように、ワイヤバレル７１は、基壁１１の両側縁から立ち上がる一対のワイヤバレル片７３を有し、電線の端末部における被覆を除去することで露出する芯線に両ワイヤバレル片７３が巻き付くようにして圧着接続される。インシュレーションバレル７２は、基壁１１の両側縁から立ち上がる一対のインシュレーションバレル片７４を有し、電線の端末部における被覆に両インシュレーションバレル片７４が巻き付くようにして圧着接続される。
【００１４】
図５に示すように、本体部１０は、基壁１１の両側縁から立ち上がる一対の側壁１２と、両側壁１２のうちの一方の側壁１２Ａの上端から他方の側壁１２Ｂへ向けて基壁１１とほぼ平行に突出するストレート壁１３と、他方の側壁１２Ｂの上端から一方の側壁１２Ａへ向けて突出してストレート壁１３の上面に覆い被さるように配置される覆い壁２０とで構成されている。ストレート壁１３は、前後方向にほぼ真っ直ぐ延びてタブ部４０に連なる形態とされている。
【００１５】
また、本体部１０には、他方の側壁１２Ｂから下方へ突出するスタビライザ１４が設けられている。スタビライザ１４は、基壁１１に形成された略Ｕ字形の切り込み１５間の板片部分１６（図６を参照）を曲げ起こして形成される。端子金具が図示しないコネクタハウジングに挿入されるときに、スタビライザ１４によって端子金具の挿入動作が案内されるとともに、不正姿勢の端子金具の挿入が規制されるようになっている。
【００１６】
また、図１及び図３に示すように、本体部１０には、基壁１１から両側壁１２の下端部にまたがる範囲に、ランス受け部１８が設けられている。ランス受け部１８は、図５に示すように、両側壁１２の下端部において対向状に折り曲げられた一対の閉じ片１９によって区画され、図３に示すように、閉じ片１９が基壁１１のうちのランス受け部１８を挟んだ前後両側の部分よりも上方に位置することにより、基壁１１に凹み形成された構成になっている。端子金具がコネクタハウジングに挿入されると、コネクタハウジングに形成されたランスがランス受け部１８に弾性的に嵌り込んで係止されることで、端子金具がコネクタハウジングから抜け出るのが規制されるようになっている。
【００１７】
図１〜図４に示すように、本体部１０の前端部には、タブ部４０との連結位置へ向けて次第に縮径して絞られた形態の絞り部２１が設けられている。図１及び図３に示すように、ストレート壁１３は、絞り部２１と対応する位置において前後方向に沿って配置され、その上面がタブ部４０の上面と段差なく連続して配置されている。絞り部２１の基壁１１は、上方に位置するタブ部４０へ向けて次第に上り勾配となる斜面壁２２となっている。
【００１８】
図１、図２及び図４に示すように、絞り部２１の両側壁１２のうちの一方の側壁１２Ａは、基壁１１からストレート壁１３に至るまでの範囲を全域に亘って覆うとともにタブ部４０の後述する連結壁４３に連続する形態になっている。これに対し、図２〜図４に示すように、絞り部２１の両側壁１２のうちの他方の側壁１２Ｂは、基壁１１から覆い壁２０の後述する覆い壁本体２０Ａにかけて上り勾配で傾斜する傾斜縁部２３によってタブ部４０から切り離された形態になっている。
【００１９】
図１及び図２に示すように、覆い壁２０は、ストレート壁１３の前端部から後端に亘る範囲を全面的に覆う矩形板状の覆い壁本体２０Ａと、覆い壁本体２０Ａの前端から前方へ突出する舌片状の突片２０Ｂとで構成されている。図１に示すように、突片２０Ｂの外面（上面）には、前端（先端）へ向けてテーパ状に傾斜する斜面２４が設けられている。突片２０Ｂは、斜面２４によって前端側ほど薄肉になっている。そして、突片２０Ｂの前端は、絞り部２１の斜面壁２２の前端よりも後方に控えて位置している。また、突片２０Ｂ及び覆い壁本体２０Ａは、ストレート壁１３の上面にほぼ密着して当接している。
【００２０】
図１及び図４に示すように、タブ部４０は、絞り部２１の斜面壁２２の前端に屈曲して連なり、その連結位置から前方へ延びる下壁４１と、ストレート壁１３とほぼ同一高さで連続して延びる上壁４２と、絞り部２１の一方の側壁１２Ａに屈曲して連なり、下壁４１の一側縁と上壁４２の一側縁とをつなぐ高さ方向（上下方向）に沿った連結壁４３とで構成されている。下壁４１は、タブ部４０の基壁１１である。
【００２１】
図３に示すように、下壁４１と上壁４２とは、前端部を除いて微小間隙４４を介して対向して配置されている。タブ部４０の前端部には、下壁４１の前端部を上方へ屈曲するとともに、上壁４２の前端部を下方へ屈曲することにより、下壁４１及び上壁４２の互いの前端同士を突き合わした形態をなす案内部４５が設けられている。タブ部４０は、案内部４５によって図示しない相手側のコネクタハウジング及び図示しない相手側の雌端子金具の箱部内に円滑に誘い込まれ、下壁４１の下面及び上壁４２の上面に雌端子金具の接点部が接触することにより、雌端子金具と電気的に接続される。
【００２２】
さて、上記構成の端子金具において、仮に、タブ部４０に対しそのタブ部４０の突出方向と交差する方向で且つ下壁４１及び上壁４２が互いに重なる方向となる上下方向のいずれかの方向に沿って過大な外力Ｐ１、Ｐ２（荷重）が加わると、タブ部４０は、本体部１０の前端部における後述する第１支点５１と第２支点５２とを起点として屈曲させられることになる。
【００２３】
第１支点５１は、図１及び図３に示すように、ストレート壁１３の上面のうち、覆い壁２０の突片２０Ｂの前端が当接する位置にあって、図２及び図４に示すように、突片２０Ｂの前端に沿って設けられる。一方、第２支点５２は、図１及び図３に示すように、絞り部２１の斜面壁２２の下面のうち、タブ部４０の根元が屈曲して連なる前端位置にあって、図４に示すように、下壁４１の下面に沿って設けられる。したがって、第１支点５１と第２支点５２とは、互いに反対面側に配置されることとなり、前後方向に互いに位置ずれしている。詳細には、図１及び図３に示すように、第２支点５２が第１支点５１よりも前方に位置している。
【００２４】
例えば、タブ部４０に対しそのタブ部４０を下方から上方へ突き上げるような外力Ｐ１（図１を参照）が作用すると、その外力Ｐ１の作用方向と対向する下面側に配置された第２支点５２を曲げの外側とし、第２支点５２と反対側の上面側に配置された第１支点５１を曲げの内側とする態様で、タブ部４０が屈曲する可能性がある。また、例えば、タブ部４０に対しそのタブ部４０を上方から下方へ突き下げるような外力Ｐ２（図３を参照）が作用すると、その外力Ｐ２の作用方向と対向する上面側に配置された第１支点５１を曲げの外側とし、第１支点５１と反対側の下面側に配置された第２支点５２を曲げの内側とする態様で、タブ部４０が屈曲する可能性がある。
【００２５】
しかし、本実施例の場合、第１支点５１と第２支点５２とを結ぶ切断線Ｃ（せん断線）が上下方向に対して傾斜する方向に延びているため、切断線Ｃが上下方向に沿う方向に延びる場合に比べ、延出長さを長くとることができる。このため、切断線Ｃを含む断面積（せん断面積）も上下方向に沿った断面積より増大することとなり、その分、タブ部４０がせん断又は屈曲しにくくなる。したがって、過大な外力Ｐ１、Ｐ２が作用しない限り、タブ部４０がせん断又は屈曲することがない。
【００２６】
また、タブ部４０を上方へ突き上げるような外力Ｐ１に対し、ストレート壁１３の全域に応力が分散されるため、第１支点５１を曲げの内側とする態様で、タブ部４０がせん断又は屈曲するのが効果的に抑えられる。しかも、突片２０Ｂの覆い壁本体２０Ａからの突出量を調整することにより、第１支点５１の位置を任意に調整することができ、それによって第１支点５１と第２支点５２との間の距離を長くとることができるため、タブ部４０をいっそうせん断又は屈曲しにくい構造にすることができる。
【００２７】
さらに、本実施例においては、第２支点５２が第１支点５１よりも前方に位置しているため、タブ部４０を下方へ突き下げるような外力Ｐ２に対し、第２支点５２に生じる曲げモーメントを小さく抑えることができ、第２支点５２を曲げの内側とする態様で、タブ部４０がせん断又は屈曲するのが効果的に抑えられる。したがって、本実施例によれば、タブ部４０に対して上下方向のいずれの方向から作用する外力Ｐ１、Ｐ２に対しても、タブ部４０が変形しにくい構造となる。その結果、特に板厚を増大しなくても、タブ部４０が変形するのを抑えることが可能となる。
【００２８】
＜他の実施例＞
本発明は上記記述及び図面によって説明した実施例に限定されるものではなく、例えば次のような態様も本発明の技術的範囲に含まれる。
（１）タブ部が、一枚板状をなすものであってもよい。
（２）覆い壁から突片を省略し、覆い壁本体の前端がストレート壁と当接する位置によって第１支点が規定される構成であってもよい。
（３）第１支点が第２支点よりも前方に位置する構成であってもよい。
【符号の説明】
【００２９】
１０…本体部
１１…基壁
１３…ストレート壁
２０…覆い壁
２０Ｂ…突片
２１…絞り部
４０…タブ部
５１…第１支点
５２…第２支点
Ｐ１、Ｐ２…外力
【図１】
2015185448.tif 000003
【図２】
2015185448.tif 000004
【図３】
2015185448.tif 000005
【図４】
2015185448.tif 000006
【図５】
2015185448.tif 000007
【図６】
2015185448.tif 000008